(57)【要約】【課題】利用者の入退室又は入退場あるいは扉への接近に連動する連動装置を簡易な構成で実現する。【解決手段】扉制御システム１は、携帯器３ａ、３ｂから固有の識別情報を認証したときに、扉を制御するものであって、扉の周囲の所定の第１通信範囲Ｒ１で無線通信可能に構成されていて、応答要求信号を送信し、応答要求信号に応答した携帯器３ａからの応答信号を受信する室外リーダ４と、応答信号の識別情報が正当か否かを認証する認証部１２と、応答信号を認証した場合に扉の電気錠装置２を制御する扉制御部としての電気錠制御部１３と、第１通信範囲Ｒ１内に配置されていて、室外リーダ４との無線通信によって応答要求信号の送信開始に同期して起動して使用可能となる連動装置としての妨害装置５と、を備えている。【選択図】図１
2019073922.tif 000002
【特許請求の範囲】
【請求項１】
携帯器から固有の識別情報を認証したときに、扉を制御する扉制御システムであって、
前記扉の周囲の所定の通信範囲で無線通信可能に構成されていて、応答要求信号を送信し、該応答要求信号に応答した前記携帯器からの応答信号を受信する読取装置と、
前記応答信号の前記識別情報が正当か否かを認証する認証部と、
前記応答信号を認証した場合に前記扉を制御する扉制御部と、
前記通信範囲内に配置されていて、前記読取装置との無線通信によって前記応答要求信号の送信開始に同期して起動して使用可能となる連動装置と、を備えることを特徴とする扉制御システム。
【請求項２】
前記扉制御部は、前記扉に設けられた電気錠の施解錠を制御するように構成されることを特徴とする請求項１に記載の扉制御システム。
【請求項３】
前記扉制御部は、前記扉の開閉を制御するように構成されることを特徴とする請求項１に記載の扉制御システム。
【請求項４】
前記読取装置は、前記扉に対して一方側に配置されていて、
前記連動装置は、前記扉に対して他方側に配置されていることを特徴とする請求項１〜３の何れか１項に記載の扉制御システム。
【請求項５】
前記連動装置は、前記応答要求信号の送信開始に同期して起動して、前記応答要求信号を妨害する妨害信号を送信する妨害装置であることを特徴とする請求項１〜４の何れか１項に記載の扉制御システム。
【発明の詳細な説明】
【技術分野】
【０００１】
本発明は、携帯器の固有の識別情報を認証したときに、扉を制御する扉制御システムに関する。
【背景技術】
【０００２】
従来から、ホテルやオフィスビル等の商業施設又は公共施設の出入口や、集合住宅又は一般住宅のエントランスや玄関等では、その部屋又は領域への入退室又は入退場を制限するために、利用者の保持するリモコンやＩＣカード等の携帯機に記憶された識別情報を認証したときに扉の電気錠を制御する電気錠システムや、識別情報を認証したときに扉の開閉を制御する自動ドアシステム等の扉制御システムが採用されている。
【０００３】
扉制御システムは、携帯器から識別情報を読み取るリーダを扉又は扉の近傍に備え、リーダは、扉の近傍の携帯器に向けて応答要求信号を常時送信する。携帯器は、この応答要求信号に応答して固有の識別情報を含む応答信号をリーダへと送信する。例えば、扉制御システムとしての電気錠システムは、リーダが携帯器から読み取った識別情報を正当と認証した場合に、電気錠を解錠する。また、電気錠システムにおいて、解錠した電気錠は、所定時間経過後に自動的に、又は扉近傍に設けた施錠操作手段を操作することにより、施錠される。
【０００４】
例えば、特許文献１に開示される錠制御システムでは、動き検出センサを備え、所定の応答要求無線信号を受信した際に動き検出センサからの動きの有無情報を含む応答無線信号を出力する携帯器と、携帯器に応答要求無線信号を出力し、携帯器からの応答無線信号に対する認証成立と動きあり信号の存在を条件に電気錠を解錠制御する錠制御装置とを有する。
【先行技術文献】
【特許文献】
【０００５】
【特許文献１】特開２００９−１３３１３７号公報
【発明の概要】
【発明が解決しようとする課題】
【０００６】
ところで、ホテルやオフィスビル等の商業施設又は公共施設の出入口や、集合住宅又は一般住宅のエントランスや玄関等では、正当な利用者の入退室又は入退場のタイミングに合わせて利用される電気錠や自動ドア以外の機器や、不当な利用者の接近のタイミングに合わせて不当な利用者に対応するように動作する機器が設けられることがある。しかし、これらのような機器を、常時稼働させておくと、消費電力が上昇し、運用コストが上昇してしまう。そこで、利用者の入退室又は入退場あるいは扉への接近に連動する連動装置が求められている。しかしながら、利用者の入退室又は入退場、あるいは接近を検知する動き検出センサや人感センサ等の検知器を備えると、システムが複雑化し、設備コストが増加してしまう。
【０００７】
また、上記のような扉制御システムでは、例えば、携帯器を所持した利用者が、玄関室内側且つリーダの通信可能領域にいる場合には、携帯器は、リーダから応答要求信号を受信するたびに応答信号を送信するので、利用者の意図に沿わずにこの応答信号の識別情報が認証されて電気錠の解錠や自動ドアの開扉を可能にして、不正入室が可能になってしまう。例えば、リーダが室外に設けられていて、携帯器が室内にある場合でも、応答要求信号や応答信号が扉や壁で完全に遮断されずに、扉付近の窓等を介して室内外に通信されてしまうことがある。なお、室内側で携帯器を所有する利用者を検知するために人感センサ等の検知器を備えると、システムが複雑化し、設備コストが増加してしまう。
【０００８】
本発明は、上記した課題を解決すべくなされたものであり、利用者の入退室又は入退場あるいは扉への接近に連動する連動装置を簡易な構成で実現する扉制御システムを提供することを目的とするものである。
【０００９】
また、本発明は、上記した課題を解決すべくなされたものであり、電気錠制御部等の扉制御部によって制御される電気錠等の機器の制御に用いられる信号の不測の通信を簡易な構成で抑制する扉制御システムを提供することを目的とするものである。
【課題を解決するための手段】
【００１０】
上記課題を解決するために、本発明の第１の扉制御システムは、携帯器から固有の識別情報を認証したときに、扉を制御する扉制御システムであって、前記扉の周囲の所定の通信範囲で無線通信可能に構成されていて、応答要求信号を送信し、該応答要求信号に応答した前記携帯器からの応答信号を受信する読取装置と、前記応答信号の前記識別情報が正当か否かを認証する認証部と、前記応答信号を認証した場合に前記扉を制御する扉制御部と、前記通信範囲内に配置されていて、前記読取装置との無線通信によって前記応答要求信号の送信開始に同期して起動して使用可能となる連動装置と、を備えることを特徴とする。
【００１１】
上述した本発明の第１の扉制御システムによれば、読取装置からの応答要求信号を利用する簡易な構成によって、連動装置を起動して使用可能な状態にすることができる。即ち、利用者の入退室又は入退場あるいは扉への接近に連動する連動装置を簡易な構成によって実現している。
【００１２】
また、本発明の第２の扉制御システムは、上述した本発明の第１の扉制御システムにおいて、前記扉制御部は、前記扉に設けられた電気錠の施解錠を制御するように構成されることを特徴とする。
【００１３】
上述した本発明の第２の扉制御システムによれば、利用者の入退室又は入退場あるいは扉への接近に連動する連動装置を電気錠システムに採用することができる。
【００１４】
また、本発明の第３の扉制御システムは、上述した本発明の第１の扉制御システムにおいて、前記扉制御部は、前記扉の開閉を制御するように構成されることを特徴とする。
【００１５】
上述した本発明の第３の扉制御システムによれば、利用者の入退室又は入退場あるいは扉への接近に連動する連動装置を自動ドアシステムに採用することができる。
【００１６】
また、本発明の第４の扉制御システムは、上述した本発明の第１〜第３の何れかの扉制御システムにおいて、前記読取装置は、前記扉に対して一方側に配置されていて、前記連動装置は、前記扉に対して他方側に配置されていることを特徴とする。
【００１７】
上述した本発明の第４の扉制御システムによれば、扉の一方側の読取装置を使用することで、扉の他方側の連動装置を遠隔起動させることができる。
【００１８】
また、本発明の第５の扉制御システムは、上述した本発明の第１〜第４の何れかの扉制御システムにおいて、前記連動装置は、前記応答要求信号の送信開始に同期して起動して、前記応答要求信号を妨害する妨害信号を送信する妨害装置であることを特徴とする。
【００１９】
上述した本発明の第５の扉制御システムによれば、読取装置からの応答要求信号が妨害装置の周辺に伝達されても、妨害装置が応答要求信号の送信開始に同期して起動して妨害信号を妨害装置の周辺に送信する。そして、妨害信号が応答要求信号に干渉して、応答要求信号の動作指示等の信号内容は妨害信号によって破壊される。そのため、例えば、携帯器が他方側に存在していても、応答要求信号に応じて応答信号を読取装置へと送信することはなく、携帯器の識別情報が読取装置を介して認証されることもない。従って、携帯器を有する利用者の他方側への入室直後や、携帯器の扉付近での置き忘れがある場合でも、扉制御部によって制御される機器は、他方側の携帯器に反応して制御されることがなく、不正入室を防ぐことができる。
【００２０】
更に、本発明の第５の扉制御システムによれば、例えば、一方側に読取装置を備えていて、他方側への妨害信号の送信機構を備えていない既存の扉制御システムに対して、読取装置と無線通信する妨害装置を設置するだけで、不正入室を防ぐことが可能となる。そのため、他方側に人感センサ等の検知器を備える必要がなく、設備コストを抑制することが可能となる。また、妨害装置は、読取装置や、認証部及び扉制御部を備える制御ユニット、扉制御部によって制御される機器等との通信のための配線を備える必要がなく、簡易且つ低コストに設置することができる。
【発明の効果】
【００２１】
本発明によれば、利用者の入退室又は入退場あるいは扉への接近に連動する連動装置を簡易な構成で実現することが可能となる。
【００２２】
また、本発明によれば、電気錠制御部等の扉制御部によって制御される電気錠等の機器の制御に用いられる信号の不測の通信を簡易な構成で抑制することが可能となる。
【図面の簡単な説明】
【００２３】
【図１】本発明の一実施形態に係る扉制御システムの概略を示すブロック図である。
【図２】本発明の一実施形態に係る扉制御システムを模式的に示す上面図である。
【図３】本発明の他の実施形態に係る扉制御システムの概略を示すブロック図である。
【図４】本発明の他の実施形態に係る扉制御システムを模式的に示す上面図である。
【発明を実施するための形態】
【００２４】
本発明の一実施形態に係る扉制御システム１について、添付の図面を参照しながら説明する。図１は、本発明の一実施形態に係る扉制御システム１の構成の概略を示すブロック図、図２は、本発明の一実施形態に係る扉制御システム１の模式的な上面図である。
【００２５】
扉制御システム１は、例えば、部屋の入退室を制限する扉を電動で施解錠する電気錠装置２（電気錠）と、固有のＩＤである識別情報を記憶した非接触キー等の携帯器３ａ、３ｂと、携帯器３ａ、３ｂから識別情報を読み取る室外リーダ４（読取装置）と、利用者の入退室又は入退場あるいは扉への接近に連動する連動装置としての妨害装置５とを備える。また、扉制御システム１は、室外リーダ４で受信した識別情報の認証結果に応じて電気錠装置２を制御する制御ユニット６を備える。即ち、本実施形態の扉制御システム１は、電気錠システムである。
【００２６】
電気錠装置２は、例えば、デッドボルト（図示せず）及び該デッドボルトを移動させる電動アクチュエータ（図示せず）からなる施解錠機構７と、電動アクチュエータを駆動するためのモータ等の駆動部８とを備えて構成される。デッドボルトは、扉から突出するように移動して扉枠のストライク内に固定されることにより扉を施錠して開扉不能にし、他方、ストライクから抜脱するように移動して扉内に引き込まれることにより扉を解錠して開扉可能にする。電気錠装置２は、制御ユニット６に接続されていて、制御ユニット６から施錠又は解錠を指示する制御信号を受けて、この制御信号に応じて駆動部８が電動アクチュエータを駆動する。
【００２７】
携帯器３ａ及び３ｂは、各種情報を読み出し／書き込み可能に記憶する記憶領域を有するＩＣチップ等の電子部品を設けていて、特に、扉の施解錠許可の認証に必要な情報として、利用者情報等の固有の識別情報を記憶領域に記憶している。また、携帯器３ａ及び３ｂは、電磁波や磁界結合又は電界結合によって室外リーダ４と非接触通信（近距離無線通信）可能であって、所定の通信半径（通信範囲）内で通信信号を送受信することができる。
【００２８】
携帯器３ａ及び３ｂは、通常はスリープ状態（携帯器スリープ状態）であって、室外リーダ４から送信された応答要求信号に応じて起動して起動状態（携帯器起動状態）となり、識別情報を含む応答信号を室外リーダ４へと無線で送信する。換言すれば、携帯器３ａ及び３ｂは、正常な応答要求信号を受信できなければ、起動や応答信号の送信ができない。なお、携帯器３ａ及び３ｂは、応答信号の送信後に再びスリープ状態に切り換えられてよい。
【００２９】
携帯器３ａ及び３ｂは、例えば、室外リーダ４からの電磁波や磁界結合又は電界結合に応じて電力を発生させるパッシブタグを備えたＩＣカード等のカード状記憶媒体や、内蔵した電池等の電源より電力が供給されるアクティブタグを備えたリモコンキーでよい。なお、携帯器３ａ及び３ｂは、室外リーダ４と非接触通信可能で利用者が携帯可能な機器であればこれらに限定されない。
【００３０】
室外リーダ４は、扉に対して一方側、例えば、部屋の外側（室外側）で、扉の表面又はその周囲の壁面等に設けられる。室外リーダ４は、制御ユニット６を介して又は直接的に外部電源（図示せず）に接続されて電力供給を受けてもよく、電池を内蔵して構成されてその電池から電力供給を受けてもよい。室外リーダ４は、電磁波や磁界結合又は電界結合によって携帯器３ａ及び３ｂと非接触通信（近距離無線通信）可能なリーダ又は送受信装置であって、所定の通信半径（第１通信範囲Ｒ１、図２参照）内で通信することができる。
【００３１】
室外リーダ４は、例えば、携帯器３ａ及び３ｂを起動させるための応答要求信号を無線で送信すると共に、この応答要求信号に応じた携帯器３ａ及び３ｂからの応答信号を受信可能になっている。例えば、室外リーダ４は、所定の周波数帯（例えば、１３４ＭＨｚ）の電磁波や磁界結合又は電界結合による応答要求信号を、扉に対して室外側で携帯器３ａに対応するために、１〜２ｍの通信半径で送信する。室外リーダ４は、制御ユニット６と有線通信可能又は無線通信可能に接続されていて、携帯器３ａ又は３ｂから受信した応答信号から識別情報を読み取り、制御ユニット６へと送信する。
【００３２】
室外リーダ４は、常時、起動状態（リーダ起動状態）であってもよく、あるいは、通常はスリープ状態（リーダスリープ状態）であって、起動指示（リーダ起動指示）に応じて起動状態に切り換えられてもよい。なお、室外リーダ４は、スリープ状態から起動状態に切り換えられた場合、所定の起動期間（リーダ起動期間）経過後に、又は停止指示（リーダ停止指示）に応じて、起動状態からスリープ状態に切り換えられるとよい。
【００３３】
また、室外リーダ４は、起動状態の間は、常時、応答要求信号を送信してもよく、あるいは、送信開始指示に応じて応答要求信号を送信してもよい。なお、室外リーダ４は、応答要求信号を所定の送信間隔毎に周期的に送信してよい。
【００３４】
室外リーダ４は、例えば、応答要求信号の送信を開始するための開始部として、開始ボタン４ａ及び開始センサ４ｂの少なくとも一方を備える。開始ボタン４ａ及び開始センサ４ｂは、室外リーダ４と一体に構成されてもよく、あるいは、別個に設けられていてもよい。開始ボタン４ａの操作に応じて、室外リーダ４に送信開始指示が入力される。開始センサ４ｂは、扉又は室外リーダ４に対する利用者の接近を検知する検知部であり、例えば、赤外線センサ、動きセンサ等の何れのセンサで構成されてもよい。開始センサ４ｂによる利用者の接近の検知に応じて、室外リーダ４に送信開始指示が入力される。また、室外リーダ４は、開始ボタン４ａの操作や開始センサ４ｂによる利用者の検知に基づいて、室外リーダ４の起動指示を発信してもよい。
【００３５】
また、室外リーダ４は、携帯器３ａ及び３ｂから応答要求信号に対する応答信号を受信した後、制御ユニット６によって電気錠装置２が解錠されると、制御ユニット６から解錠完了信号を受信する。このとき、室外リーダ４は、送信開始指示に応じて応答要求信号を送信している場合、解錠完了信号に応じて、応答要求信号の送信を停止してよく、更に室外リーダ４の停止指示を発信してもよい。なお、室外リーダ４は、開始ボタン４ａの再操作若しくは停止ボタン（図示せず）の操作に応じて応答要求信号の送信を停止してもよく、更に室外リーダ４の停止指示を発信してもよい。また、室外リーダ４は、応答要求信号の送信を開始してから所定の送信期間経過後に、応答要求信号の送信を停止してもよい。
【００３６】
例えば、応答要求信号は、所定の周期のパルスで生成され、この所定の周期の範囲内で、携帯器３ａ及び３ｂへの起動指示（携帯器起動指示）を示す先頭部分と、携帯器３ａ及び３ｂへの動作指示を示す後方部分とを含む。室外リーダ４は、先頭部分の送信に連続して後方部分の送信を行う。
【００３７】
妨害装置５は、利用者の入退室又は入退場あるいは扉への接近に連動する連動装置であり、扉の近傍に取り付けられ、例えば、扉に対して他方側（室外リーダ４とは反対側）、即ち、部屋の内側（室内側）で、扉の表面又はその周囲の壁面等に設けられる。妨害装置５は、電池を内蔵して構成されてその電池から電力供給を受ける。妨害装置５は、電磁波や磁界結合又は電界結合によって室外リーダ４と非接触通信（近距離無線通信）可能な送受信装置であって、所定の通信半径（第２通信範囲Ｒ２、図２参照）内で通信することができる。
【００３８】
妨害装置５は、例えば、室外リーダ４からの応答要求信号を受信すると共に、応答要求信号を妨害する妨害信号を無線で送信可能になっている。即ち、妨害装置５は、室外リーダ４の第１通信範囲Ｒ１内に設置され、特に、妨害装置５の第２通信範囲Ｒ２が、室外リーダ４の第１通信範囲Ｒ１と部分的に重複し、第２通信範囲Ｒ２が第１通信範囲Ｒ１の室内側の通信範囲を包含するように、室外リーダ４及び妨害装置５が配置される。なお、応答要求信号は、室外側で受信されるだけでなく、室外側から扉や壁、窓等を介して室内側で受信されるように指向性や周波数特性を有していてよいが、妨害信号は、室内側のみで受信されるように指向性や周波数特性を有するとよい。妨害装置５は、ジャミング信号等の妨害信号を生成、送信するジャミングモジュールで構成されてよい。なお、応答要求信号は、室外側から扉や壁、窓等を介することで減衰され、室外側に比べて室内側では通信半径（第１通信範囲Ｒ１）が狭まる場合があり、その場合、妨害装置５は、その狭まった第１通信範囲Ｒ１を包含する第２通信範囲Ｒ２で妨害信号を送信すればよい。
【００３９】
妨害装置５は、室外リーダ４との無線通信によって応答要求信号の送信開始に同期して起動するように構成される。例えば、妨害装置５は、通常はスリープ状態（妨害装置スリープ状態）であって、応答要求信号に含まれる起動指示に応じて起動状態（妨害装置起動状態）に切り換えられる。なお、応答要求信号は、携帯器３ａ及び３ｂを起動するための起動指示（携帯器起動指示）と、妨害装置５を起動するための起動指示（妨害装置起動指示）とを、共通の信号で有していてもよいが、別個の信号で有していてもよい。携帯器３ａ及び３ｂの起動指示と妨害装置５の起動指示とが別個の信号である場合、室外リーダ４は、妨害装置５の起動指示に続いて携帯器３ａ及び３ｂの起動指示を送信する。
【００４０】
妨害装置５は、起動状態になると、即座に、妨害信号を生成、送信する。妨害装置５は、応答要求信号と同一周波数帯の妨害信号を生成し、妨害信号を室内側の応答要求信号に干渉させることで、応答要求信号を無効化する。妨害信号は、応答要求信号と同一周波数帯であることに加えて、応答要求信号と位相又はピークの異なる信号でもよい。例えば、妨害信号は、応答要求信号のパルスの所定の周期の少なくとも一部を妨害する信号でよい。これにより、必要最小限の構成で、妨害信号による効果を発揮することができる。
【００４１】
また、妨害装置５は、起動状態になってからスリープ状態に切り換わるまで妨害信号を送信する。なお、妨害装置５は、妨害信号を所定の送信間隔毎に周期的に送信してよく、妨害信号の送信間隔は応答要求信号の送信間隔以下である。妨害装置５は、応答要求信号の受信後に次の応答要求信号を受信することなく、応答要求信号の送信間隔を経過した場合、起動を停止し、即ち、スリープ状態に切り換わる。
【００４２】
例えば、図２に示すように、室外リーダ４は、室外側の携帯器３ａに対応するために所定の第１通信範囲Ｒ１で応答要求信号を送信する。この室外リーダ４からの応答要求信号が、扉や壁で遮断されずに、室内側に伝達される場合、応答要求信号は、室内側の第１通信範囲Ｒ１内に配置された妨害装置５によって受信される。
【００４３】
このとき、妨害装置５は、応答要求信号に含まれる起動指示に応じて起動し、室内側の所定の第２通信範囲Ｒ２で妨害信号を送信する。なお、室内側において、妨害装置５による妨害信号の第２通信範囲Ｒ２は、室外リーダ４による応答要求信号の第１通信範囲Ｒ１を包含している。そのため、室内側の応答要求信号の第１通信範囲Ｒ１内において、妨害信号が応答要求信号に干渉して、応答要求信号は妨害信号によって妨害（破壊）される。
【００４４】
すると、室内側の応答要求信号の第１通信範囲Ｒ１内に携帯器３ｂが存在していても、応答要求信号は、妨害信号によって妨害された状態（携帯器３ｂによって解読可能な波形が崩れた状態）で携帯器３ｂに到達する。例えば、応答要求信号に妨害信号が重畳されて、携帯器３ｂは、応答要求信号の少なくとも一部について、正常な振幅の有無が判別できなくなり、パルス幅を判別できなくなる。なお、携帯器３ｂが、応答要求信号の動作指示に基づいて、応答要求の正否の判別、応答信号送信すべきか否かの判別等を行う場合、妨害信号は、この動作指示の少なくとも一部を解読不可能とするように、応答要求信号を妨害すればよい。
【００４５】
また、応答要求信号は、起動指示に続いて動作指示が送信されるので、室内側に妨害装置５と携帯器３ｂとが存在する場合、応答要求信号の起動指示が妨害装置５に到達した後で、応答要求信号の動作指示が携帯器３ｂに到達することになる。そのため、携帯器３ｂに応答要求信号が到達しても、携帯器３ｂは応答要求信号に応じて応答信号を送信することはない。従って、室外リーダ４は、室内側の携帯器３ｂから応答信号を受信することはなく、識別情報を読み取ることもないので、電気錠装置２の解錠は行われない。
【００４６】
制御ユニット６は、扉制御システム１の全体の動作を統括制御するＣＰＵ（Ｃｅｎｔｒａｌ  Ｐｒｏｃｅｓｓｉｎｇ  Ｕｎｉｔ）等の制御部１０と、この制御部１０による制御に必要な情報を記憶するＲＯＭやＲＡＭ等の記憶媒体からなる記憶部１１とを備える。
【００４７】
制御部１０は、例えば、認証部１２と、電気錠制御部１３（扉制御部）とを備えて構成される。なお、認証部１２及び電気錠制御部１３は、記憶部１１に記憶されて制御部１０によって実行されるプログラムで構成されてよい。また、記憶部１１は、例えば、携帯器３ａ及び３ｂの識別情報の認証に用いられる一つ以上の認証情報１４を記憶する。
【００４８】
認証部１２は、制御部１０が室外リーダ４から受信した携帯器３ａ又は３ｂの識別情報を、記憶部１１に記憶された認証情報１４と比較して、識別情報が正当と認証できるか否かを判定する。
【００４９】
電気錠制御部１３は、認証部１２による判定結果に応じて電気錠装置２を制御し、例えば、識別情報が正当であると認証されたときに、電気錠装置２を解錠する制御信号を電気錠装置２へと送信する。また、電気錠制御部１３は、解錠する制御信号を電気錠装置２へと送信してから所定時間が経過したときに、電気錠装置２を施錠する制御信号を電気錠装置２へと送信する。
【００５０】
例えば、室外リーダ４による応答要求信号の第１通信範囲Ｒ１内において、室外側に携帯器３ａが存在する場合、携帯器３ａは、応答要求信号に応じて起動し、室外リーダ４に対して応答信号を送信する。すると、室外リーダ４は、応答信号から識別情報を読み取り、制御ユニット６へと送信する。制御ユニット６では、認証部１２によって識別情報が正当と認証されると、電気錠制御部１３によって電気錠装置２が解錠される。なお、室内側には、室外リーダ４のように携帯器３ａ、３ｂと通信可能なリーダや送受信装置に代えて、室内側から手動で電気錠装置２の施解錠機構７を施解錠可能なサムターンやキーシリンダー等の機構を備えてよい。
【００５１】
上記したように、本実施形態に係る扉制御システム１は、携帯器３ａ、３ｂから固有の識別情報を認証したときに、扉を制御するように構成される。扉制御システム１は、扉の周囲の所定の第１通信範囲Ｒ１で無線通信可能に構成されていて、応答要求信号を送信し、応答要求信号に応答した携帯器３ａからの応答信号を受信する室外リーダ４（読取装置）と、応答信号の識別情報が正当か否かを認証する認証部１２と、応答信号を認証した場合に扉の電気錠装置２を制御する扉制御部としての電気錠制御部１３と、第１通信範囲Ｒ１内に取り付けられていて、第１通信範囲と重複する第２通信範囲で無線通信可能に構成されていて、室外リーダ４との無線通信によって応答要求信号の送信開始に同期して起動して使用可能となる連動装置としての妨害装置５と、を備えている。
【００５２】
このような構成により、本発明によれば、扉制御システム１では、室外リーダ４からの応答要求信号を利用する簡易な構成によって、妨害装置５等の連動装置を起動して使用可能な状態にすることができる。即ち、利用者の入退室又は入退場あるいは扉への接近に連動する連動装置を簡易な構成によって実現している。
【００５３】
また、本実施形態では、扉制御システム１の扉制御部は、扉に設けられた電気錠装置２（電気錠）の施解錠を制御するように構成される電気錠制御部１３である。
【００５４】
このような構成により、本発明によれば、扉制御システム１では、利用者の入退室又は入退場あるいは扉への接近に連動する連動装置を電気錠システムに採用することができる。
【００５５】
更に、本実施形態では、室外リーダ４は、扉に対して室外側（一方側）に取り付けられていて、連動装置としての妨害装置５は、扉に対して室内側（他方側）に配置されている。
【００５６】
このような構成により、本発明によれば、扉制御システム１では、扉の一方側の室外リーダ４を使用することで、扉の他方側の妨害装置５を遠隔起動させることができる。
【００５７】
また、本実施形態では、妨害装置５は、室外リーダ４との無線通信によって応答要求信号の送信開始に同期して起動して、扉に対して室内側で応答要求信号を妨害する妨害信号を送信する。
【００５８】
このような構成により、本発明によれば、扉制御システム１では、室外リーダ４からの応答要求信号が妨害装置５の周辺（例えば、室内側）へと伝達されても、妨害装置５が応答要求信号の送信開始に同期して起動して妨害信号を妨害装置５の周辺（室内側）に送信する。そして、妨害信号が応答要求信号に干渉して、応答要求信号の動作指示等の信号内容は妨害信号によって破壊される。そのため、携帯器３ｂが室内側に存在していても、応答要求信号に応じて応答信号を室外リーダ４へと送信することはなく、携帯器３ｂの識別情報が室外リーダ４を介して認証されることもない。従って、携帯器３ｂを有する利用者の室内側への入室直後や、携帯器３ｂの扉付近での置き忘れがある場合でも、電気錠制御部１３等の扉制御部によって制御される電気錠装置２等の機器は、室内側の携帯器３ｂに反応して制御されることがなく、不正入室を防ぐことができる。
【００５９】
更に、本発明によれば、室外側に室外リーダ４を備えていて、室内側への妨害信号の送信機構を備えていない既存の電気錠システム等の扉制御システム１に対して、室外リーダ４と無線通信する妨害装置５を設置するだけで、不正入室を防ぐことが可能となる。そのため、室内側に人感センサ等の検知器を備える必要がなく、設備コストを抑制することが可能となる。また、妨害装置５は、室外リーダ４や、認証部１２及び電気錠制御部１３等の扉制御部を備える制御ユニット６、扉制御部によって制御される電気錠装置２等の機器との通信のための配線を備える必要がなく、簡易且つ低コストに設置することができる。このようにして、扉制御部によって制御される電気錠装置２等の機器の制御に用いられる信号の不測の通信を簡易な構成で抑制する扉制御システム１を提供することが可能となる。
【００６０】
また、本実施形態では、応答要求信号は、携帯器３ａ、３ｂへの起動指示を示す先頭部分と、携帯器３ａ、３ｂへの動作指示を示していて先頭部分に続いて送信される後方部分とを含み、妨害装置５は、起動指示の受信に応じて起動して、動作指示の少なくとも一部を妨害するとよい。
【００６１】
このような構成により、室内側では、応答要求信号の起動指示が妨害装置５に到達した後で、応答要求信号の動作指示が携帯器３ｂに到達することになる。そのため、携帯器３ｂが応答要求信号を受信して解読する前に妨害信号を送信することができるため、携帯器３ｂによる応答要求信号への応答をより確実に防ぐことができる。また、妨害信号は、動作指示の一部のみを妨害するように生成されるので、必要最小限の構成で、妨害信号による効果を発揮することができる。
【００６２】
更に、本実施形態では、扉制御システム１は、応答要求信号の送信を開始するための開始部として、開始ボタン４ａや開始センサ４ｂを更に備える。また、室外リーダ４は、認証部１２が応答信号の識別情報を正当と認証した場合に電気錠装置２が解錠された後、応答要求信号の送信を停止する。室外リーダ４は、所定の送信間隔毎に応答要求信号を送信し、妨害装置５は、応答要求信号の受信後に次の応答要求信号を受信することなく送信間隔を経過した場合、起動を停止する。
【００６３】
これらのような構成により、応答要求信号や妨害信号の送信開始の構成を簡易化することができる。室外リーダ４は、必要な場合のみ、応答要求信号を送信し、妨害装置５は、必要な場合のみ、起動して妨害信号を送信することになる。そして、室外リーダ４が応答要求信号を送信している間に亘って妨害装置５が妨害信号を送信する構成を実現している。そのため、消費電力を最小限に削減することが可能となり、省エネルギー化及び低コスト化を実現することもできる。
【００６４】
なお、上記した実施形態では、妨害装置５は、室外リーダ４から送信される応答要求信号の起動指示に応じて起動する例を説明したが、本発明はこれに限定されない。例えば、他の実施形態では、室外リーダ４からの応答要求信号の送信開始に同期していれば、妨害装置５は、室外リーダ４から送信される他の起動信号に応じて起動してもよい。この場合、室外リーダ４は、起動信号に続いて応答要求信号を送信することになる。
【００６５】
なお、上記した実施形態では、扉制御システム１が、電気錠装置２の施解錠のために携帯器３ａに対応する室外リーダ４を室外側に備える一方、室外側からの不正解錠（不正入室）を防ぐために妨害装置５を室内側に備える構成を説明したが、本発明はこれに限定されない。例えば、他の実施形態では、扉制御システム１が、電気錠装置２の施解錠のために携帯器３ｂに対応するリーダを室内側に備える一方、室内側からの不正解錠を防ぐために妨害装置５を室外側に備えてもよい。即ち、扉に対して一方側にリーダを備えて、扉に対して他方側に妨害装置５を備えていればよい。
【００６６】
また、本実施形態では、認証部１２が携帯器３ａ又は３ｂの識別情報を認証したときに、電気錠制御部１３が電気錠装置２を直接、制御して施解錠する扉制御システム１の構成を説明したが、扉制御システム１の構成はこれに限定されない。例えば、扉制御システム１は、電気錠装置２の解錠や施錠を操作するための解錠ボタンや施錠ボタンを扉付近に備え、認証部１２が携帯器３ａ又は３ｂの識別情報を認証した場合には解錠ボタンや施錠ボタンの操作を有効にし、それ以外の場合には解錠ボタンや施錠ボタンの操作を無効にするように構成してもよい。あるいは、扉制御システム１は、扉を開けるための操作ハンドルを備えて、認証部１２が携帯器３ａ又は３ｂの識別情報を認証した場合のみ、操作ハンドルの操作を有効にするように構成してもよい。
【００６７】
本実施形態では、扉制御システム１が利用者の入退室又は入退場あるいは扉への接近に連動する連動装置として妨害装置５を備える構成を説明したが、本発明の扉制御システム１が備える連動装置は、妨害装置５に限定されない。連動装置は、扉の近傍に取り付けられていて、室外リーダ４との無線通信によって応答要求信号の送信開始に同期して起動して使用可能となるものであれば、扉に対して室内側及び室外側の何れに設けられていてもよい。また、連動装置は、扉や壁に固定されていてもよく、コンセント等に着脱可能に取り付けられていてもよい、据え置き型の装置である。連動装置は、内蔵した電池から電力供給を受けるように構成されてもよく、接続された外部電源から電力供給を受けるように構成されてもよい。例えば、妨害装置５以外の連動装置として、照明装置や防犯装置等がある。
【００６８】
本実施形態では、本発明の扉制御システム１が電気錠装置２及び電気錠制御部１３を備える電気錠システムに適用される例を説明したが、本発明はこの例に限定されない。例えば、本発明は、図３及び図４に示す他の実施形態によれば、エントランス等に備わる扉（自動ドア）の開閉を制御する自動ドアシステムとしての扉制御システム３０に適用することもできる。以下の説明において、図１及び図２に示す上記の実施形態と同様の構成については、説明を省略する。
【００６９】
図３に示すように、扉制御システム３０は、例えば、携帯器３ａ、３ｂ及び室外リーダ４に加えて、室内リーダ３１（読取装置）、扉開閉装置３２及び室内利用設備３３、連動装置としての妨害装置３４を備える。制御ユニット６は、制御部１０、記憶部１１及び認証部１２に加えて、扉開閉装置３２を制御する扉開閉制御部３５を備える。扉開閉制御部３５は、記憶部１１に記憶されて制御部１０によって実行されるプログラムで構成されてよい。
【００７０】
室内リーダ３１は、図４に示すように、扉に対して他方側（室外リーダ４とは反対側）、例えば、部屋の内側（室内側）で、扉の表面又はその周囲の壁面等に設けられる。室内リーダ３１は、室外リーダ４と同様の機能及び構成を有し、携帯器３ａ及び３ｂと非接触通信（近距離無線通信）可能なリーダ又は送受信装置であって、所定の通信半径（第１通信範囲Ｒ３、図４参照）内で通信することができる。
【００７１】
扉開閉装置３２は、制御ユニット６（扉開閉制御部３５）によって制御されて自動ドアを開閉する機構である。自動ドアは、スライドドアや開き戸の何れで構成されてもよい。なお、開き戸の場合には、自動ドアの開閉に対する障害物を検知する障害物センサ（図示せず）を備え、扉開閉装置３２は、障害物がない場合に自動ドアを開閉させる。
【００７２】
室内利用設備３３は、扉に対して室内側で、扉の近傍に備えられる宅配ボックス等の設備である。
【００７３】
妨害装置３４は、上記の実施形態の妨害装置５と同様の機能及び構成を有し、携帯器３ａ及び３ｂや室内リーダ３１と非接触通信（近距離無線通信）可能な送受信装置であって、所定の第２通信範囲Ｒ４（図４参照）内で通信することができる。なお、妨害装置３４は、室内リーダ３１の第１通信範囲Ｒ３内に設置され、特に、室内利用設備３３の利用可能領域と室内リーダ３１の第１通信範囲Ｒ３とが重複する場合に、その重複領域を妨害装置３４の第２通信範囲Ｒ４が包含することで、妨害装置３４の第２通信範囲Ｒ４が室内リーダ３１の第１通信範囲Ｒ３と部分的に重複するように、室内リーダ３１及び妨害装置３４が配置される。
【００７４】
扉開閉制御部３５は、認証部１２による判定結果に応じて扉開閉装置３２を制御し、例えば、識別情報が正当であると認証されたときに、扉開閉装置３２を開扉する制御信号を扉開閉装置３２へと送信する。また、扉開閉制御部３５は、扉開閉装置３２を開扉してから所定時間が経過したときに、扉開閉装置３２を閉扉する制御信号を扉開閉装置３２へと送信する。
【００７５】
上記のような構成によれば、携帯器３ｂを有する利用者が、自動ドアを利用しないが、室内利用設備３３を利用するために、室内利用設備３３の利用可能領域に入ったときに、室内リーダ３１の第１通信範囲Ｒ３にも入ってしまう場合でも、第１通信範囲Ｒ３と室内利用設備３３の利用可能領域との重複領域に対して妨害装置３４が妨害信号を送信している。そのため、この重複領域では、室内リーダ３１からの応答要求信号が妨害信号によって破壊されることになる。これにより、室内利用設備３３の利用可能領域への立ち入りに起因する自動ドアの開扉、即ち、利用者の意図に反する自動ドアの開扉を抑制することができる。
【００７６】
あるいは、扉制御システム３０は、扉開閉装置３２による自動ドアの開閉を操作するボタン等の扉開閉操作部３６を室外側の自動ドアの近傍に備えていてもよい。この場合、扉開閉装置３２は、扉開閉操作部３６の開閉操作に基づいて自動ドアを開閉する。また、扉開閉制御部３５は、認証部１２による判定結果に応じて扉開閉操作部３６の開閉操作を可能又は不能に制御し、例えば、通常は、扉開閉操作部３６の開閉操作は不能に設定されていて、識別情報が正当であると認証されたときに、扉開閉制御部３５は、開閉操作を可能にする制御信号を扉開閉操作部３６へと送信する。
【００７７】
上記のような構成によれば、扉制御システム３０では、例えば、室内側の利用者の意図に反して、扉開閉操作部３６を操作可能にすることを抑制するように、各部を構成することもできる。
【００７８】
このように、本発明によれば、扉制御システム３０では、利用者の入退室又は入退場あるいは扉への接近に連動する連動装置を自動ドアシステムに採用することができる。
【００７９】
本発明の扉制御システム１は、複数の扉のそれぞれに認証機能を有する制御ユニット６を設けて、携帯器３ａ、３ｂを各扉に共通に使用して施解錠できるように構成することもできる。また、本発明の扉制御システム１は、ホテルやオフィスビル等の商業施設又は公共施設の出入口や、集合住宅又は一般住宅のエントランスや玄関等だけでなく、病院、リクリエーション施設、店舗、ショッピングセンター、学校等、様々な建物に適用することが可能である。
【００８０】
また、本発明は、請求の範囲および明細書全体から読み取ることのできる発明の要旨または思想に反しない範囲で適宜変更可能であり、そのような変更を伴う扉制御システムもまた本発明の技術思想に含まれる。
【符号の説明】
【００８１】
１  扉制御システム
２  電気錠装置
３ａ、３ｂ  携帯器
４  室外リーダ（読取装置）
４ａ  開始ボタン
４ｂ  開始センサ
５  妨害装置
６  制御ユニット
１０  制御部
１１  記憶部
１２  認証部
１３  電気錠制御部（扉制御部）
１４  認証情報
【図１】
2019073922.tif 000003
【図２】
2019073922.tif 000004
【図３】
2019073922.tif 000005
【図４】
2019073922.tif 000006